(57)【特許請求の範囲】
【請求項１】
アクセスポイントネーム（ＡＰＮ）を有するアクセスポイントへのマルチパケットデータ接続をユーザ機器（ＵＥ）に設定する、モバイルアクセスゲートウェイ（ＭＡＧ）での使用のための方法であって：
−前記ＭＡＧにおいて、前記アクセスポイントへの前記ＵＥの第１の接続を識別するための第１の一意識別子を生成するステップと；
前記第１の一意識別子は、一般ルーティングカプセル化キーとは異なることと、
−前記ＵＥのＩＤ、前記ＭＡＧのアドレス、前記第１の一意識別子及び前記ＡＰＮを含む、第１のプロキシバインディング更新（ＰＢＵ）メッセージを、前記ＭＡＧからローカルモビリティアンカ（ＬＭＡ）へ送信するステップと；
−前記ＭＡＧにおいて、前記第１の一意識別子を含む第１のプロキシバインディング確認応答（ＰＢＡ）メッセージを、前記ＬＭＡから受信するステップと；
−前記ＭＡＧから新たなＭＡＧへのＵＥ接続のハンドオフに際し、前記第１の一意識別子を前記ＭＡＧから前記新たなＭＡＧへ転送して、前記ＵＥの前記ＩＤ、前記新たなＭＡＧのアドレス、前記第１の一意識別子及び前記ＡＰＮを含む、新たなＰＢＵを前記新たなＭＡＧから前記ＬＭＡへ送信させるステップと；
を含む方法。
【請求項２】
−前記ＭＡＧにおいて、前記アクセスポイントへの前記ＵＥの第２の接続を識別するための第２の一意識別子を生成するステップと；
−前記ＵＥの前記ＩＤ、前記ＭＡＧの前記アドレス、前記第２の一意識別子及び前記ＡＰＮを含む、第２のＰＢＵを、前記ＭＡＧから前記ＬＭＡへ送信するステップと；
−前記ＭＡＧにおいて、前記第２の一意識別子を含む第２のＰＢＡを、前記ＬＭＡから受信するステップと；
をさらに含む、請求項１の方法。
【請求項３】
−前記ＭＡＧにおいて、前記ＵＥの前記第１の接続又は前記第２の接続のうちの１つが取り消されるべきであると判定するステップと；
−前記ＭＡＧにおいて、取り消されるべき前記接続に対応する前記第１の一意識別子又は前記第２の一意識別子のうちの１つを選択するステップと；
−前記ＵＥの前記ＩＤ、前記ＭＡＧの前記アドレス、及び選択された前記第１の一意識別子又は前記第２の一意識別子を含む、バインディング取り消し表示メッセージを、前記ＭＡＧから前記ＬＭＡへ送信するステップと；
をさらに含む、請求項２の方法。
【請求項４】
アクセスポイントネーム（ＡＰＮ）を有するアクセスポイントへのマルチパケットデータ接続をユーザ機器（ＵＥ）に設定する、ローカルモビリティアンカ（ＬＭＡ）での使用のための方法であって：
−前記ＬＭＡにおいて、前記ＵＥのＩＤ、モビリティアクセスゲートウェイ（ＭＡＧ）のアドレス、前記ＡＰＮ、及び前記アクセスポイントへの前記ＵＥの第１の接続を識別する前記ＭＡＧにより生成される第１の一意識別子を含む、第１のプロキシバインディング更新（ＰＢＵ）メッセージを、前記ＭＡＧから受信するステップと；
前記第１の一意識別子は、一般ルーティングカプセル化キーとは異なることと、
−前記ＬＭＡの第１のバインディングキャッシュエントリ（ＢＣＥ）に、前記ＵＥの前記ＩＤ、前記ＭＡＧの前記アドレス、前記ＡＰＮ及び前記第１の一意識別子を記憶するステップと；
−前記第１の一意識別子を含む第１のプロキシバインディング確認応答（ＰＢＡ）メッセージを、前記ＬＭＡから前記ＭＡＧへ送信するステップと；
−前記ＭＡＧから新たなＭＡＧへのＵＥ接続のハンドオフに際し、前記ＬＭＡにおいて、前記ＵＥの前記ＩＤ、前記新たなＭＡＧのアドレス、前記第１の一意識別子及び前記ＡＰＮを含む、新たなＰＢＵを、前記新たなＭＡＧから受信するステップと；
−前記新たなＭＡＧの前記アドレスで前記ＬＭＡの前記第１のＢＣＥを更新するステップと；
を含む方法。
【請求項５】
−前記ＬＭＡは、前記アクセスポイントへ接続されるパケットデータネットワークゲートウェイであり；
−前記ＭＡＧは、前記ＬＭＡへ接続され、無線アクセスネットワークを介して前記ＵＥへさらに接続される、サービングゲートウェイである；
請求項４の方法。
【請求項６】
−前記ＬＭＡにおいて、第２のＰＢＵであって、前記ＵＥの前記ＩＤ、前記第２のＰＢＵを送信した前記ＭＡＧのアドレス、前記ＡＰＮ、及び前記アクセスポイントへの前記ＵＥの第２の接続を識別する第２の一意識別子を含む、前記第２のＰＢＵを、同一の前記ＭＡＧ又は別のＭＡＧから受信するステップと；
−前記ＬＭＡの第２のＢＣＥに、前記ＵＥの前記ＩＤ、前記第２のＰＢＵを送信した前記ＭＡＧの前記アドレス、前記ＡＰＮ及び前記第２の一意識別子を記憶するステップと；
−前記第２の一意識別子を含む第２のＰＢＡを、前記ＬＭＡから、前記第２のＰＢＵを送信した前記ＭＡＧへ送信するステップと；
さらに含む、請求項４の方法。
【請求項７】
−前記ＬＭＡにおいて、前記ＵＥの前記ＩＤ、並びに前記第１の一意識別子及び前記第２の一意識別子のうちの１つを含む、バインディング取り消し表示メッセージを、前記ＭＡＧのうちの１つから受信するステップと；
−前記第１の一意識別子及び前記第２の一意識別子のうちの受信された一意識別子に対応する前記ＢＣＥを、前記ＬＭＡから削除するステップと；
さらに含む、請求項６の方法。
【請求項８】
アクセスポイントネーム（ＡＰＮ）を有するアクセスポイントへのマルチパケットデータ接続をユーザ機器（ＵＥ）に設定するモバイルアクセスゲートウェイ（ＭＡＧ）であって：
−ローカルモビリティアンカ（ＬＭＡ）と通信するように構成されるインターフェースと；
−前記インターフェースを制御し、また、
−前記アクセスポイントへの前記ＵＥの第１の接続を識別するための第１の一意識別子であって、一般ルーティングカプセル化キーとは異なる前記第１の一意識別子を生成し、
−前記ＵＥのＩＤ、前記ＭＡＧのアドレス、前記第１の一意識別子及び前記ＡＰＮを含む、第１のプロキシバインディング更新（ＰＢＵ）メッセージを、前記ＬＭＡへ送信するように、前記インターフェースに要求し、
−前記第１の一意識別子を含む第１のプロキシバインディング確認応答（ＰＢＡ）メッセージを、前記インターフェースを介して前記ＬＭＡから受信する
ように構成されるプロセッサと；
を備え、
−前記インターフェースは、ピアＭＡＧと通信するようにさらに構成され；
−前記プロセッサは、
−前記ＭＡＧから前記ピアＭＡＧへのＵＥ接続のハンドオフに際し、前記ＵＥの前記ＩＤ、前記ピアＭＡＧのアドレス、前記第１の一意識別子及び前記ＡＰＮを含む、新たなＰＢＵを前記ピアＭＡＧから前記ＬＭＡへ送信させるために、前記第１の一意識別子を前記ＭＡＧから前記ピアＭＡＧへ転送するように、前記インターフェースに要求する
ようにさらに構成される；
ＭＡＧ。
【請求項９】
−前記インターフェースは、無線アクセスネットワークを介して前記ＵＥと通信するようにさらに構成され；
−前記ＭＡＧは、サービングゲートウェイである；
請求項８のＭＡＧ。
【請求項１０】
前記プロセッサは：
−前記アクセスポイントへの前記ＵＥの第２の接続を識別するための第２の一意識別子を生成し；
−前記ＵＥの前記ＩＤ、前記ＭＡＧの前記アドレス、前記第２の一意識別子及び前記ＡＰＮを含む、第２のＰＢＵを、前記ＬＭＡへ送信するように、前記インターフェースに要求し；
−前記第２の一意識別子を含む第２のＰＢＡを、前記インターフェースを介して前記ＬＭＡから受信する；
ようにさらに構成される、請求項８のＭＡＧ。
【請求項１１】
前記プロセッサは：
−前記ＵＥの前記第１の接続又は前記第２の接続のうちの１つが取り消されるべきであると判定し；
−取り消されるべき前記接続に対応する前記第１の一意識別子又は前記第２の一意識別子のうちの１つを選択し；
−前記ＵＥの前記ＩＤ、前記ＭＡＧの前記アドレス、及び選択された前記第１の一意識別子又は前記第２の一意識別子を含む、バインディング取り消し表示メッセージを、前記ＬＭＡへ送信するように、前記インターフェースに要求する；
ようにさらに構成される、請求項１０のＭＡＧ。
【請求項１２】
−前記プロセッサは、
−第２の一意識別子を、前記インターフェースを介して前記ピアＭＡＧから受信し、
−前記ＵＥの前記ＩＤ、前記ＭＡＧの前記アドレス、前記第２の一意識別子及び前記ＡＰＮを含む、新たなＰＢＵを、前記ＬＭＡへ送信するように、前記インターフェースに要求する
ようにさらに構成される；
請求項８のＭＡＧ。
【請求項１３】
アクセスポイントネーム（ＡＰＮ）を有するアクセスポイントへのマルチパケットデータ接続をユーザ機器（ＵＥ）に設定するローカルモビリティアンカ（ＬＭＡ）であって：
−バインディングキャッシュエントリ（ＢＣＥ）を記憶するメモリと；
−１つ以上のモビリティアクセスゲートウェイ（ＭＡＧ）と通信するように構成されるインターフェースと；
−前記インターフェースを制御し、また、
−前記ＵＥのＩＤ、モビリティアクセスゲートウェイ（ＭＡＧ）のアドレス、前記ＡＰＮ、及び、前記アクセスポイントへの前記ＵＥの第１の接続を識別する第１の一意識別子であって、一般ルーティングカプセル化キーとは異なる前記ＭＡＧにより生成される前記第１の一意識別子を含む、第１のプロキシバインディング更新（ＰＢＵ）メッセージを、前記インターフェースを介して前記ＭＡＧから受信し、
−第１のＢＣＥに、前記ＵＥの前記ＩＤ、前記ＭＡＧの前記アドレス、前記ＡＰＮ及び前記第１の一意識別子を記憶させ、
−前記第１の一意識別子を含む第１のプロキシバインディング確認応答（ＰＢＡ）メッセージを、前記ＭＡＧへ送信するように、前記インターフェースに要求する
ように構成されるプロセッサと；
を備え、
前記プロセッサは：
−前記ＭＡＧから新たなＭＡＧへのＵＥ接続のハンドオフに際し、前記ＵＥの前記ＩＤ、前記新たなＭＡＧのアドレス、前記第１の一意識別子及び前記ＡＰＮを含む、新たなＰＢＵを、前記インターフェースを介して前記新たなＭＡＧから受信し；
−前記新たなＭＡＧの前記アドレスで前記第１のＢＣＥを更新する；
ようにさらに構成される、
ＬＭＡ。
【請求項１４】
−前記インターフェースは、前記アクセスポイントと通信するようにさらに構成され；
−前記ＬＭＡは、パケットデータネットワークゲートウェイである；
請求項１３のＬＭＡ。
【請求項１５】
前記プロセッサは：
−第２のＰＢＵであって、前記ＵＥの前記ＩＤ、前記第２のＰＢＵを送信した前記ＭＡＧのアドレス、前記ＡＰＮ、及び前記アクセスポイントへの前記ＵＥの第２の接続を識別する第２の一意識別子を含む、前記第２のＰＢＵを、前記インターフェースを介して同一の前記ＭＡＧ又は別のＭＡＧから受信し；
−第２のＢＣＥに、前記ＵＥの前記ＩＤ、前記第２のＰＢＵを送信した前記ＭＡＧの前記アドレス、前記ＡＰＮ及び前記第２の一意識別子を記憶させ；
−前記第２の一意識別子を含む第２のＰＢＡを、前記ＬＭＡから、前記第２のＰＢＵを送信した前記ＭＡＧへ送信するように、前記インターフェースに要求する；
ようにさらに構成される、請求項１３のＬＭＡ。
【請求項１６】
前記プロセッサは：
−前記ＵＥの前記ＩＤ、並びに前記第１の一意識別子及び前記第２の一意識別子のうちの１つを含む、バインディング取り消し表示メッセージを、前記インターフェースを介して前記ＭＡＧのうちの１つから受信し；
−前記第１の一意識別子及び前記第２の一意識別子のうちの受信された一意識別子に対応する前記ＢＣＥを、前記メモリから削除する；
ようにさらに構成される、請求項１５のＬＭＡ。
【発明の詳細な説明】
【技術分野】
【０００１】
本発明は、概して、通信分野に関するが、より具体的には、アクセスポイントへのユーザ機器のマルチパケットデータ接続を設定する方法及びノードに関する。
【背景技術】
【０００２】
第３世代パートナーシッププロジェクト（３ＧＰＰ）の標準化団体は、現在、ＬＴＥ（long  term  evolution）及びＥＰＣ（evolved  packet  core）のアーキテクチャのリリース８を検討している。リリース８の中では、３ＧＰＰは、プロキシモバイルＩＰ（ＰＭＩＰ）の使用を仕様化した。当該ＰＭＩＰは、モビリティサポートのためのプロトコルとして、インターネットエンジニアリングタスクフォース（ＩＥＴＦ）のＲＦＣ（Request  For  Comments）５２１３の中で仕様化されている。図１は、３ＧＰＰ  ＬＴＥ／ＥＰＣアーキテクチャの従来技術の代表を示す。アーキテクチャ１００は、３ＧＰＰシステム及び非３ＧＰＰシステムのアクセスをサポートする。アーキテクチャ１００は、図１では説明を容易にするため単純化されているが、３ＧＰＰアクセスネットワーク１１０を含む。当該３ＧＰＰネットワーク１１０は、ユーザ機器（ＵＥ）１２０、無線アクセスネットワーク（ＲＡＮ）１３０、モビリティマネジメントエンティティ（ＭＭＥ）１７０、ホーム加入者サーバ（ＨＳＳ）１８０、及びＰＭＩＰ対応のモビリティアクセスゲートウェイ（ＭＡＧ）１４０ａとして動作するサービングゲートウェイ（ＳＧＷ）をさらに含む。３ＧＰＰアクセスネットワーク１１０は、ＰＭＩＰ対応のローカルモビリティアンカ（ＬＭＡ）１５０として動作するパケットデータネットワークゲートウェイ（ＰＤＮゲートウェイ、又はＰＧＷ）を介して、外部ネットワーク１６０へ通信する。非３ＧＰＰアクセスはＬＭＡ１５０と通信可能なＭＡＧ１４０ｂを含むので、アーキテクチャ１００はこれらのアクセスへのサポートを提供する。
【０００３】
ＵＥ１２０は、まず、３ＧＰＰネットワーク１１０に帰属する場合に、どの外部ネットワーク１６０に接続したいかを示すために外部ネットワーク１６０のアクセスポイント（図示せず）を特定する。これは、ＵＥ１２０によりＳＧＷへ送信されるアクセスポイントネーム（ＡＰＮ）の使用により行われる。当該ＳＧＷは、ＵＥ１２０のためにＭＡＧ１４０ａとして動作する。ＡＰＮが３ＧＰＰネットワーク１１０の中で使用されて、ＵＥ１２０のためにＬＭＡ１５０として動作する適切なＰＧＷが選択され得る。ＭＡＧ１４０ａは、プロキシバインディング更新（ＰＢＵ：proxy-binding  update）メッセージの中で、ＵＥ１２０のＩＤ（identity）及びＡＰＮとともに自装置のアドレスをＬＭＡ１５０に送信する。ＬＭＡ１５０は、ＵＥ１２０についてのバインディングキャッシュエントリ（ＢＣＥ：binding  cache  entry）の中に、ＵＥのＩＤ、ＭＡＧのアドレス、及びＡＰＮを記憶し、プロキシバインディング確認応答（ＰＢＡ：proxy-binding  acknowledgement）メッセージの中でＭＡＧ１４０ａに応答する。ＬＭＡ１５０は、いくつかの外部ネットワーク１６０への接続性を提供してもよい。そのため、ＡＰＮは、適切な外部ネットワーク１６０へ接続するためにＬＭＡ１５０内で使用されてもよい。データパケットは、ＬＭＡ１５０及びＭＡＧ１４０ａを介して、ＵＥ１２０と外部ネットワーク１６０との間で交換され始め得る。
【０００４】
ＵＥ１２０は、ハンドオフを行う場合に、古いＭＡＧから新たなＭＡＧへ変わることができる。新たなＭＡＧは、新たなＭＡＧがＵＥ１２０についての新たな帰属ポイントであることを示す新たなＰＢＵを、ＬＭＡ１５０へ送信する。ＬＭＡ１５０は、新たなＭＡＧのアドレスでＢＣＥを更新し、ＵＥが現在帰属する新たなＭＡＧを介してデータパケットの交換をリダイレクト（redirect）する。ＬＭＡ１５０は、新たなＰＢＡを送信することにより、新たなＭＡＧへ回答する。
【０００５】
ＵＥ１２０は、同一のアクセスポイントへのマルチ接続を行うことができる。このために、ＵＥ１２０は、第１の接続を有効化した後に、同一のＡＰＮを使用して、新たな接続についての有効化要求を外部ネットワーク１６０へ送信し得る。このプロセスの詳細な説明は、３ＧＰＰにより発行された技術仕様書（ＴＳ）２３．４０２の中で見つけられ得る。ＰＭＩＰに従って、有効化は、ＭＡＧ１４０ａにより処理される。ＭＡＧ１４０ａは、ＡＰＮを含む新たなＰＢＵをＬＭＡ１５０へ送信する。ＬＭＡ１５０は、示されたＡＰＮへの新たな接続を設定する。当該ＡＰＮは、偶然に、第１の接続のＡＰＮと同一のものであり得る。ＵＥ１２０についての各接続はＬＭＡ１５０の中の新たなＢＣＥをもたらすので、ＬＭＡ１５０は、同一のＵＥ１２０のための、同一のＡＰＮへのいくつかの接続を処理可能である。ＬＭＡ１５０は、ＭＡＧ１４０ａに新たなＰＢＡを返信する。ＭＡＧ１４０ａは、ＵＥ１２０に、成功した接続を通知してもよい。
【０００６】
同一のＡＰＮへの同一のＵＥ１２０のマルチ接続の問題は、ＵＥ１２０がハンドオフを行う必要がある場合、又はＵＥ１２０が接続を開放する必要がある場合に生じる。ＬＭＡ１２０は、接続が開放されるべきであることを示すバインディング取り消し表示（ＢＲＩ：binding  revocation  indication）メッセージを、ＭＡＧ１４０ａから受信し得る。ＬＭＡ１２０は、ハンドオフが起こっていることを示す新たなＰＢＵも、新たなＭＡＧから受信し得る。同一のＡＰＮに関連する１つよりも多くの接続があるので、ＬＭＡ１２０は、受信されたＢＲＩ又はＰＢＵにはマルチ接続のうちのどの接続が関連するかが分からない。結果として、ＬＭＡ１２０は、どの接続がハンドオーバされ又は開放されるべきかが分からない。
【発明の概要】
【０００７】
アクセスポイントへのユーザ機器のマルチパケットデータ接続を設定する方法及びノードを有すると明らかな利点がある。したがって、本発明の広い目的は、アクセスポイントとユーザ機器（ＵＥ）にとの間の接続を最適に設定する方法、モビリティアクセスゲートウェイ（ＭＡＧ）の及びローカルモビリティアンカ（ＬＭＡ）を提供することである。
【０００８】
本発明の第１の形態は、アクセスポイントへのマルチパケットデータ接続をＵＥに設定する方法を対象とする。当該方法は、ＭＡＧにおいて実装される。当該方法は、上記ＭＡＧにおいて、上記アクセスポイントへの上記ＵＥの第１の接続の第１の一意識別子を提供することを含む。上記ＭＡＧは、上記ＵＥのＩＤ、上記ＭＡＧのアドレス、上記第１の一意識別子、及び上記アクセスポイントのアクセスポイントネーム（ＡＰＮ）を含む、第１のプロキシバインディング更新（ＰＢＵ）メッセージを、ＬＭＡへ送信する。そして、上記ＭＡＧは、上記第１の一意識別子を含む第１のプロキシバインディング確認応答（ＰＢＡ）メッセージを、上記ＬＭＡから受信する。
【０００９】
本発明の第２の形態は、ＡＰＮを有するアクセスポイントへのマルチパケットデータ接続をＵＥに設定する方法を対象とする。当該方法は、ＬＭＡにおいて実装される。上記方法は、上記ＬＭＡにおいて、ＵＥのＩＤ、ＭＡＧのアドレス、ＡＰＮ、及び上記アクセスポイントへの上記ＵＥの第１の接続の第１の一意識別子を含む、第１のＰＢＵを、上記ＭＡＧから受信することにより、開始する。上記ＬＭＡは、当該ＬＭＡの第１のバインディングキャッシュエントリ（ＢＣＥ）に、上記ＵＥの上記ＩＤ、上記ＭＡＧの上記アドレス、上記ＡＰＮ及び上記第１の一意識別子を記憶させる。上記ＬＭＡは、上記第１の一意識別子を含む第１のＰＢＡを、上記ＬＭＡから上記ＭＡＧへ送信する。
【００１０】
本発明の第３の形態は、ＭＡＧを対象とする。当該ＭＡＧは、ＡＰＮを有するアクセスポイントへのマルチパケットデータ接続をＵＥに設定するためのものである。上記ＭＡＧは、ＬＭＡと通信するインターフェースと、プロセッサとを備える。上記プロセッサは、上記インターフェースを制御する。また、上記プロセッサは、上記アクセスポイントへの上記ＵＥの第１の接続の第１の一意識別子を提供する。上記プロセッサは、ＵＥのＩＤ、上記ＭＡＧのアドレス、上記第１の一意識別子及び上記ＡＰＮを含む第１のＰＢＵを、上記ＬＭＡへ送信するように、上記インターフェースに要求する。そして、上記プロセッサは、上記第１の一意識別子を含む第１のＰＢＡを上記インターフェースを介して上記ＬＭＡから受信する。
【００１１】
本発明の第４の形態は、ＡＰＮを有するアクセスポイントへのマルチパケットデータ接続をＵＥに設定するＬＭＡを対象とする。上記ＬＭＡは、ＢＣＥを記憶するメモリと、１つ以上のＭＡＧと通信するインターフェースと、プロセッサとを備える。当該プロセッサは、上記インターフェースを制御する。また、上記プロセッサは、ＵＥのＩＤ、上記ＭＡＧのアドレス、上記ＡＰＮ、及び上記アクセスポイントへの上記ＵＥの第１の接続の第１の一意識別子を含む、第１のＰＢＵを、上記インターフェースを介してＭＡＧから受信する。上記プロセッサは、第１のＢＣＥに、上記ＵＥの上記ＩＤ、上記ＭＡＧの上記アドレス、上記ＡＰＮ及び上記第１の一意識別子を記憶させる。上記プロセッサは、上記第１の一意識別子を含む第１のＰＢＡを上記ＭＡＧへ送信するように、上記インターフェースに要求する。
【図面の簡単な説明】
【００１２】
さらなる目的及び利点について本発明をより詳細な理解するために、ここで、以下の添付の図面と合わせて以下の説明を参照することができる。
【図１】３ＧＰＰのＬＴＥ／ＥＰＣアーキテクチャの従来技術の代表である。
【図２】本発明のいくつかの教示のように本発明のモビリティアクセスゲートウェイにおいて実装される例示的な方法を示す。
【図３】本発明のいくつかの教示のようにローカルモビリティアンカにおいて実装される例示的な方法を示す。
【図４ａ】本発明の方法の例示的なステップを表すシーケンス図を示す。
【図４ｂ】本発明の方法の例示的なステップを表すシーケンス図を示す。
【図５】本発明の特徴に従った例示的なモビリティアクセスゲートウェイを示す。
【図６】本発明の特徴に従った例示的なローカルモビリティアンカを示す。
【発明を実施するための形態】
【００１３】
本発明の革新的な教示は、様々な例示的な使用及び好適な実施形態の特徴の具合的な参照により説明される。しかしながら、この実施形態は、本発明の革新的な教示の多数の有利な使用のうちのいくつかの例を提供するのみであるということが、理解されるべきである。概して、本願の明細書における記載は、必ずしも、本発明の様々なクレームされる（claimed）特徴のいずれかを限定しない。さらに、いくつかの記載は、いくつかの革新的な特徴に当てはまるが、他の特徴には当てはまらないこともあり得る。図の説明では、同様の番号は、本発明の同様の要素を表す。
【００１４】
本発明は、アクセスポイントネーム（ＡＰＮ）を有するアクセスポイントへのマルチパケットデータ接続をユーザ機器（ＵＥ）に設定する、方法、モビリティアクセスゲートウェイ（ＭＡＧ）及びローカルモビリティアンカ（ＬＭＡ）を提供する。ＵＥは、接続を確立する場合に、サービスを得たい外部ネットワークのアクセスポイントを指定するＡＰＮを選択する。ＡＰＮは、例えばＵＥへの接続性を提供する無線アクセスネットワーク（ＲＡＮ）から、ＭＡＧに到着する。本発明のＭＡＧは、接続に一意識別子（ＵＩＤ：unique  identifier）を割り当てる。そして、ＭＡＧは、プロキシバインディング更新（ＰＢＵ）メッセージをＬＭＡへ送信する。ＰＢＵは、ＵＥのＩＤ、ＭＡＧのアドレス、ＡＰＮ及びＵＩＤを搬送する。ＬＭＡは、ＵＥ接続についてのバインディングキャッシュエントリ（ＢＣＥ）を生成し、ＵＥのＩＤ、ＭＡＧのアドレス、ＡＰＮ及びＵＩＤをそこに記憶する。ＡＰＮを知ることにより、ＬＭＡは、ＵＥにより選択されたアクセスポイントへの接続を確立できる。ＬＭＡは、ＭＡＧのアドレスを使用して、プロキシバインディング確認応答（ＰＢＡ）メッセージをＭＡＧへ返信する。
【００１５】
ＵＥは、複数の接続を設定し得る。各新たな接続について、ＭＡＧは、別個のＵＩＤを割り当て、独立したＰＢＵをＬＭＡへ送信する。各独立したＰＢＵは、ＵＥのＩＤ、ＭＡＧのアドレス及び選択されたＡＰＮとともに、上記別個のＵＩＤを搬送する。ＬＭＡは、各接続についての別個のＢＣＥを生成する。同一のＡＰＮが、ＵＥにより１つよりも多くの接続について選択されたとしても、いずれの２つのＢＣＥも同一ではない。なぜならば、別個のＢＥＣは、同一のＵＥに言及し、同一のＭＡＧのアドレス及びＡＰＮを含み得るが、別個のＵＩＤを含むからである。
【００１６】
ＵＥは、ＲＡＮ内で、動き回り、接続をハンドオフし得る。ＵＥは、ＲＡＮから接続を切り、異なるネットワークの種類に再接続し得る。ハンドオフの結果として、新たなＭＡＧが、呼び出され、ＵＥの接続をサポートし得る。元のＭＡＧは、ハンドオフを経験する（undergo）接続のＵＩＤを新たなＭＡＧへ送信する。新たなＭＡＧは、ハンドオーバされた接続に対応するＢＣＥを更新するために、新たなＰＢＵをＬＭＡへ送信する。当該新たなＰＢＵは、ＵＥのＩＤ、新たなＭＡＧのアドレス、関連するＡＰＮ、及び元のＭＡＧから得られたＵＩＤを含む。新たなＰＢＵは、適当なＵＩＤを含むので、ＬＭＡは、難なく適当なＢＣＥを識別し、新たなＭＡＧのアドレスで当該ＢＣＥを更新できる。
【００１７】
ＵＥは、以前に確立された接続のうちの全てではない１つ以上の接続を解放することを決定し得る。ＭＡＧは、バインディング取り消し表示（ＢＲＩ）メッセージをＬＭＡへ送信する。ＢＲＩは、ＵＥのＩＤ、ＭＡＧのアドレス、ＡＰＮ、及び解放される接続のＵＩＤを含む。ＢＲＩは、適当なＵＩＤを含むので、ＬＭＡは、難なく、適当なＢＣＥを識別し、解放することができる。
【００１８】
本発明との関連において、ＵＥは、モバイルセルラー電話、モバイルノード、携帯情報端末、ラップトップコンピュータ、ＩＰ電話装置、インテリジェント端末、ゲーム機器等を含み得る。ＵＥのＩＤは、移動局統合化サービスデータネットワーク（ＭＳＩＳＤＮ）番号、国際移動局識別番号（ＩＭＳＩ）、又はネットワークアクセス識別子（ＮＡＩ）を含み得る。ＭＡＧは、３ＧＰＰのサービスゲートウェイ（ＳＧＷ）、又は、無線アクセスネットワークを介して直接的に、若しくは単純なアクセスポイントを介して、ＵＥにアクセスを提供する非３ＧＰＰのノードを含み得る。ＬＭＡは、サービス運用者ネットワークのような１つ以上の外部ネットワークの中の１つ以上のアクセスポイントへ接続される３ＧＰＰのパケットデータネットワークゲートウェイ（ＰＧＷ）を含み得る。ＬＭＡは、代わりに、プロキシモバイルＩＰプロトコルをサポート可能な非３ＧＰＰのノードを含んでもよい。本説明は、無線アクセスネットワークの使用により外部ネットワークに接続するＵＥを説明するが、ＵＥが、イーサネット接続、ケーブルＴＶ接続、ファイバ、デジタル加入者ライン（ＤＳＬ）接続、無線ローカルエリアネットワーク（ＷＬＡＮ）、ＷｉＭＡＸ（Worldwide  Interoperability  for  Microwave  Access）接続等を含むがこれに限られないいずれかの種類の有線接続又は無線接続の使用により接続され得るように、これは本発明の限定ではない、ということが理解されるべきである。
【００１９】
ここで図面への参照が行われる。図２は、本発明のいくつかの教示のようにモバイルアクセスゲートウェイにおいて実装される例示的な方法を示す。シーケンス２００は、ステップ２１０で開始する。ステップ２１０では、ＭＡＧは、ＡＰＮにより識別されるアクセスポイントへのＵＥの第１の接続に第１のＵＩＤを提供する。そして、ステップ２２０で、ＭＡＧは、第１のＰＢＵをＬＭＡへ送信する。当該ＰＢＵは、ＵＥのＩＤ、ＭＡＧのアドレス、第１のＵＩＤ及びＡＰＮを含む。ステップ２３０で、ＭＡＧは、第１のＵＩＤを含む第１のＰＢＡをＬＭＡから受信する。
【００２０】
図３は、本発明のいくつかの教示のようにローカルモビリティアンカにおいて実装される例示的な方法を示す。シーケンス３００は、ステップ３１０で開始する。ステップ３１０で、ＬＭＡは、ＵＥのＩＤ、ＭＡＧのアドレス、第１のＵＩＤ及びＡＰＮを含む第１のＰＢＵをＭＡＧから受信する。そして、ステップ３２０で、ＬＭＡは、ＵＥのＩＤ、ＭＡＧのアドレス、第１のＵＩＤ及びＡＰＮを記憶するための第１のＢＣＥを生成する。ステップ３３０で、ＬＭＡは、第１のＵＩＤを搬送する第１のＰＢＡを送信することによりＭＡＧに応答する。
【００２１】
図４ａ及び図４ｂは、まとめて図４と呼ばれるが、本発明の方法の例示的なステップを表すシーケンス図を示す。シーケンス４００は、ＵＥ１２０、第１のＭＡＧ５００ａ、モビリティマネジメントエンティティ（ＭＭＥ）１７０、第２のＭＡＧ５００ｂ及びＬＭＡ６００の間で行われる。第１のＭＡＧ及び第２のＭＡＧの両方は、本発明の教示をサポートするが、例えば異なるアクセスネットワークの一部であり得るので、別の面では異なり得る。図４に示される要素は、直接的に接続されてもよく、又は、間接的に接続され、地理的には離れていてもよい。例えば、ＵＥ１２０及びＭＡＧは、ＲＡＮを介して通信し得る。ルータは、ＭＡＧとＬＭＡ６００との間に存在してもよく、又は存在しなくてもよい。また、ルータは、それらの間で交換されるメッセージを透過的に搬送する。したがって、図４は、シーケンス４００のステップを容易に説明するための単純化されたネットワークを示す。
【００２２】
シーケンス４００は、ステップ４０２で開始する。ステップ４０２で、ＵＥ１２０は、ＡＰＮにより識別されるアクセスポイントへの第１の接続を行うことを要求する。第１の接続要求は、ＭＡＧ１  ５００ａで受信される。ＵＥ１２０から発した他のメッセージの場合のように、第１の接続要求は、ＵＥ１２０のＩＤを搬送する。ステップ４０４で、ＭＡＧ１  ５００ａは、第１のＵＩＤを第１の接続に提供する。ステップ４０６で、ＭＡＧ１  ５００ａは、ＬＭＡ６００に向けて第１のＰＢＵを送信する。第１のＰＢＵは、ＵＥ１２０のＩＤ、ＭＡＧ１のアドレス、第１のＵＩＤ及びＡＰＮを含む。第１のＰＢＵを受信した場合に、ステップ４０８で、ＬＭＡ６００は、第１のＵＥ接続についてのＢＣＥを記憶する。ＢＣＥは、ＵＥのＩＤ、ＭＡＧ１のアドレス、第１のＵＩＤ及びＡＰＮを含む。そして、ステップ４１０で、ＬＭＡ６００は、第１のＵＩＤを搬送する第１のＰＢＡを送信することにより、ＭＡＧ１  ５００ａに応答する。
【００２３】
いくつかの実施形態では、提供される第１のＵＩＤは、接続に割り当てられるアップリンク一般ルーティングカプセル化（ＧＲＥ：Generic  Routing  Encapsulation）キーの形をとり得る。他の実施形態では、ＵＩＤは、無作為に生成されてもよい。いくつかの他の実施形態では、ＵＩＤは、パケットデータネットワーク接続ＩＤとも呼ばれる。ＵＩＤは、グローバルに一意であってもよく、代わりに、与えられるＵＥのＩＤについて一意であってもよく、又は、単純に、所与のＡＰＮについて一意であってもよい。
【００２４】
ステップ４１２で、ＵＥ１２０は、同一のＡＰＮを使用して、第２の接続についての要求を行う。ステップ４１４で、ＭＡＧ１  ５００ａは、この第２の接続に第２のＵＩＤを割り当てる。そして、ステップ４１５で、ＭＡＧ１  ５００ａは、第２のＰＢＵをＬＭＡ６００へ送信する。当該第２のＰＢＵは、ＵＥのＩＤ、ＭＡＧ１のアドレス、第２のＵＩＤ及びＡＰＮを含む。ステップ４１８で、ＬＭＡ６００は、第２のＢＣＥを生成し、記憶する。当該ＢＣＥは、ＵＥのＩＤ、ＭＡＧ１のアドレス、第２のＵＩＤ及びＡＰＮを含む。第２のＢＣＥは、少なくとも異なるＵＩＤを含むので、ステップ４０８で生成される第１のＢＣＥとは異なる。ステップ４２０で、ＬＭＡ６００は、第２のＵＩＤを搬送する第２のＰＢＡを送信することにより、ＭＡＧ１  ５００ａに応答する。
【００２５】
ステップ４３０で、ＵＥ１２０は、接続のうちの１つを解放する。ステップ４３２で、ＭＡＧ１  ５００ａは、どの接続が解放されるかを判定し、対応するＵＩＤを選択する。そして、ステップ４３４で、ＭＡＧ１  ５００ａは、ＢＲＩをＬＭＡ６００へ送信する。当該ＢＲＩは、ＵＥのＩＤ、ＭＡＧ１のアドレス、選択されたＵＩＤ及びＡＰＮを含む。ステップ４３６で、ＬＭＡ６００は、選択されたＵＩＤを使用して、対応するＢＣＥを取り消す（即ち、削除する）。ステップ４３８で、選択されたＵＩＤを搬送するＢＲＡを送信することにより、ＬＭＡ６００は、ＭＡＧ１  ５００ａに応答する。
【００２６】
ステップ４３０−４３８のシーケンスが開始する際には、１つの接続又は２つ以上の接続が、ＵＥ１２０とＡＰＮにより識別されるアクセスポイントとの間に存在し得る。したがって、ステップ４３０−４３８のシーケンスは、１つ以上の接続又はこれらの接続の全てを解放することを含み得る。いくつかの実施形態では、ＢＲＩ及びＢＲＡは、１つよりも多くのＵＩＤを搬送してもよく、ステップ４３６は、１つよりも多くのＢＣＥを一度に削除することを含んでもよい。他の実施形態では、ステップ４３４、４３６及び４２８は、解放される各接続について繰り返されてもよい。
【００２７】
ステップ４４０で、ＵＥ１２０のためのセッションのハンドオフが起こる。ＵＥ１２０の位置の変化のために、ハンドオフは、もはやＭＡＧ１  ５００ａによりサービスを提供されず、今はＭＡＧ２  ５００ｂによりサービスを提供されるセッションを伴う。ステップ４４２で、ＭＡＧ１  ５００ａは、ハンドオーバされるＵＥ１２０の有効な接続についての、１つ以上の有効なＵＩＤのリストを、ＭＡＧ２  ５００ｂに向けて送信する。いくつかの実施形態では、ハンドオフは、ＵＥ１２０の有効な接続の全部よりも少ない接続を移すことを伴い得る。この場合に、有効なＵＩＤのリストは、実際にハンドオーバされるものに限定される。有効なＵＩＤのリストは、実際には、ＭＡＧ１  ５００ａからＭＭＥ１７０へ送信され得る。当該ＭＭＥ１７０が、ステップ４４４で、当該リストをＭＡＧ２  ５００ｂに転送する。いくつかの実施形態では、当該リストは、２つのＭＡＧ間で直接的に伝達されてもよい。ＭＡＧ２  ５００ｂは、有効なＵＩＤのリストを受信すると、ステップ４４６で、新たなＰＢＵをＬＭＡ６００へ送信する。新たなＰＢＵは、ＵＥのＩＤ、ＭＡＧ２のアドレス、ＡＰＮ、及び少なくとも１つの有効なＵＩＤを含む。いくつかの実施形態では、新たなＰＢＵは、単一の有効なＵＩＤを含み、いくつかのＰＢＵが、各有効なＵＩＤのために、ＭＡＧ２  ５００ｂから送信される。他の実施形態では、新たなＰＢＵは、ハンドオーバされる有効なＵＩＤのリスト全体を搬送する。ＬＭＡ６００は、新たなＰＢＵを受信し、ステップ４４８で、１つ以上のＰＢＵに含まれる受信された有効なＵＩＤに対応するＢＣＥを選択することにより、そのバインディングキャッシュを更新する。各ＢＣＥを更新することは、ＭＡＧ１のアドレスをＭＡＧ２のアドレスで上書きすることを含む。ステップ５００ｂで、ＬＭＡ６００は、新たなＰＢＡをＭＡＧ２へ送信する。当然ながら、新たなＰＢＵの場合と同様に、二者択一的に、新たなＰＢＡは、ハンドオフを経験する有効なＵＩＤのリスト全体を搬送してもよく、又は、新たなＰＢＡは、全ての有効なＵＩＤが別々のＰＢＡの中で送信されるまで、複数回送信されてもよい。新たなＰＢＵ及びＰＢＡが一度に単一のＵＩＤをそれぞれ搬送する実施形態では、１つよりも多くの接続がハンドオフを経験する場合に、ステップ４４６−４５０は、平行して又は順次繰り返されてもよい。
【００２８】
ステップ４６０は、ＵＥ１２０が同一のＡＰＮへの第３の接続を開始する際に発生する。ＵＥ１２０は、ＭＡＧ１  ５００ａに向けて接続要求を送信する。図４で説明されたように、ＵＥ１２０の１つ以上の接続がＭＡＧ２  ５００ｂへハンドオーバされて有効なままである後に、ステップ４６０が発生し得る。ステップ４６２で、ＭＡＧ１  ５００ａは、ＵＥ１２０の第３の接続に第３のＵＩＤを割り当てる。そして、ステップ４６４で、ＭＡＧ１  ５００ａは、ＵＥのＩＤ、ＭＡＧ１のアドレス、第３のＵＩＤ及びＡＰＮを含む第３のＰＢＵを送信する。ＬＭＡ６００は、第３のＰＢＵを受信し、ステップ４６６で、第３のＢＣＥを記憶する。当該第３のＢＣＥは、ＵＥのＩＤ、ＭＡＧ１のアドレス、第３のＵＩＤ及びＡＰＮを含む。ステップ４６８で、ＬＭＡ６００は、第３のＵＩＤを搬送する第３のＰＢＡで、この第３のＰＢＵへの確認応答を行う。ＬＭＡ６００は、ＭＡＧ１  ５００ａを介したＵＥ１２０の接続についてのＢＣＥと、ＭＡＧ２  ５００ｂを介したＵＥ１２０の接続についてのＢＣＥとの両方を、同時に有してもよい、ということを観察できる。
【００２９】
シーケンス４００のステップのうちのいくつかは、様々な順序で発生し得る。例えば、接続を解放するためのステップ４３０−４３８のシーケンス、又は接続をハンドオーバするためのステップ４４０−４５０のシーケンスは、ステップ４０２−４１０で少なくとも１つの接続が設定された後の任意の時点で発生し得る。ステップ４４０−４５０で、ＭＡＧ１  ５００ａからＭＡＧ２  ５００ｂへの接続のハンドオフが行われた場合に、ステップ４３０−４３６のような接続の解放のシーケンスは、ＭＡＧ１  ５００ａの代わりに、ＭＡＧ２  ４００ｂに関与し得る。実際には、ＵＥ１２０は、ＭＡＧ１  ５００ａを介したＡＰＮへの有効な接続と、ＭＡＧ２  ５００ｂを介した同一のＡＰＮへの有効な接続とを、同時に有し得る。これは、例えば、ＵＥ１２０が１つよりも多くのＭＡＧに対応する１つよりも多くのアクセス技術をサポートする場合である。したがって、ＬＭＡ６００で受信されるＢＲＩは、ＭＡＧ１  ５００ａ又はＭＡＧ２  ５００ｂのいずれかから来得る。それでも、ＢＲＩは、ＵＩＤに加えて、当該ＢＲＩを送信したＭＡＧのアドレスを搬送するので、ＬＭＡ６００は、取り消されるべき適当なＢＣＥを識別することができる。
【００３０】
図５を参照することにより、ＭＡＧの例示的な構成をここで説明する。図５は、本発明の形態に従った例示的なモビリティアクセスゲートウェイを示す。ＭＡＧ５００は、インターフェース５１０及びプロセッサ５２０を備える。プロセッサ５３０は、いずれかの市販の汎用プロセッサであってもよく、又は、ＭＡＧ５００での動作のために特別に設計されてもよい。プロセッサ５２０は、多数の他のプロセスに加えて、本発明に関連するプロセスを実行し得る。インターフェース５１０は、単一の装置として実装されてもよく、又は、シグナリング、メッセージ及びデータを受信する装置並びにシグナリング、メッセージ及びデータを送信する別の装置として実装されてもよい。ＭＡＧ５００は、１つ以上のＲＡＮへ接続され、１つ以上のＬＭＡと接続される。例えば、１つのＬＭＡへの接続はイーサネットリンク上である一方、ＲＡＮへの接続は非同期転送モード（ＡＴＭ）リンク上であり得るように、ＭＡＧ５００を他のネットワーク要素へ接続する手段は変わり得る。したがって、インテーフェース５１０は、異なる種類の複数のリンク上で接続するための複数の装置を含み得る。本発明の説明を容易にするために、１つの一般的なインターフェース５１０だけが説明されている。ＭＡＧ５００は、ゲートウェイ又はルータとしてさらに動作してもよく、したがって、従来技術において周知のように、さらに多くのコンポーネントを備えてもよい。
【００３１】
動作において、ＭＡＧ５００は、ＲＡＮを介してＭＡＧ５００に接続される複数のＵＥにサービスを提供する。ＭＡＧ５００は、３ＧＰＰに準拠したサービスゲートウェイであり得る。また、ＲＡＮは、ＬＴＥ（Long  Term  Evolution）無線アクセス技術をサポートする３ＧＰＰに準拠したアクセスネットワークであり得る。そのため、ＭＡＧ５００は、３ＧＰＰにより定義されるようなＥＰＣ（evolved  packet  core）ネットワークの一部であり得る。ＭＡＧ５００は、同様にＥＰＣの一部であり得る１つ以上のＬＭＡへ接続する。また、ＭＡＧ５００は、非３ＧＰＰネットワークに存在してもよい。ＭＡＧ５００は、ＡＰＮを有するアクセスポイントへのマルチパケットデータ接続をＵＥに設定することに参加する。ＭＡＧ５００に到着するメッセージは、インターフェース５１０で受信され、プロセッサ５２０に与えられる。ＵＥがＡＰＮの使用により接続を設定することを要求していることを、ＭＡＧ５００が通知されると、プロセッサ５２０は、アクセスポイントへのＵＥの接続にＵＩＤを割り当てる。プロセッサ５２０は、ＵＥのＩＤ、ＭＡＧ５００のアドレス、ＵＩＤ及びＡＰＮを含むＰＢＵをＬＭＡに送信するように、インターフェース５１０に要求する。そして、プロセッサ５２０は、ＵＩＤを含むＰＢＡを、インターフェース５１０を介してＬＭＡから受信する。ＭＡＧ５００は、同一のＵＥから、同一のＡＰＮを示す１つ以上の追加の接続要求を受信してもよい。当該要求の各々について、プロセッサ５２０は、異なるＵＩＤを生成し、個別のＵＩＤを含む異なるＰＢＵをＬＭＡへ送信するように、インターフェース５１０に要求する。
【００３２】
ＭＡＧ５００は、ＵＥが接続を解放する予定であることの標識を受信し得る。プロセッサ５２０は、解放される接続に対応するＵＩＤを搬送するＢＲＩをＬＭＡに送信するように、インターフェース５１０に要求する。ＭＡＧ５００は、ＵＥがピア（peer）ＭＡＧへのハンドオフを経験する予定であることの標識も、ＲＡＮを介して受信し得る。プロセッサ５２０は、ハンドオーバされる接続に対応する１つ以上のＵＩＤをピアＭＡＧへ送信するように、インターフェース５１０に要求する。いくつかの実施形態では、インターフェース５１０は、ＭＭＥを介してピアＭＡＧへＵＩＤを送信する。ＭＡＧ５００は、当該ＭＡＧ５００へハンドオーバされるＵＥ接続についての１つ以上のＵＩＤをピアＭＡＧから受信し得る。コントローラ５２０は、受信されたＵＩＤを１つ以上のＰＢＵの中でＬＭＡに送信するように、インターフェース５１０に要求する。
【００３３】
プロセッサ５２０でＵＩＤを割り当てることは、アップリンクＧＲＥキーを提供すること、又は無作為な生成を用いることを伴い得る。ＵＩＤは、グローバルに一意であってもよく、又は単純に所与のＡＰＮについて一意であってもよい。
【００３４】
図５に関連して説明された特徴に加えて、ＭＡＧ５００は、図２及び図４の中で与えられたＭＡＧの様々な実施形態の特徴をさらに実行可能であってもよい。
【００３５】
図６を参照することにより、ＬＭＡの例示的な構成をここで説明する。図６は、本発明の形態に従った例示的なローカルモビリティアンカを示す。ＬＭＡ６００は、インターフェース６１０、プロセッサ６２０及びメモリ６３０を備える。メモリ６３０は、揮発性メモリであってもよい。または、代わりに、メモリ６３０は、電気的に消去され、再プログラムされることが可能であって、例えばフラッシュメモリ若しくはデータ記憶モジュールとして実装され得る、不揮発性メモリ又は持続メモリであってもよい。プロセッサ６２０は、いずれかの市販の汎用プロセッサであってもよく、又は、ＬＭＡ６００での動作のために特別に設計されてもよい。プロセッサ６２０は、多数の他のプロセスに加えて、本発明に関するプロセスを実行し得る。インターフェース６１０は、単一の装置として実装されてもよく、又は、シグナリング、メッセージ及びデータを受信する装置並びにシグナリング、メッセージ及びデータを送信する別の装置として実装されてもよい。ＬＭＡ６００は、複数のＭＡＧ及び外部ネットワークへ接続される。例えば、１つのＭＡＧへの接続はイーサネットリンク上である一方、外部ネットワークへの接続は非同期転送モード（ＡＴＭ）リンク上であり得るように、ＬＭＡ６００を他のネットワーク要素へ接続する手段は変わり得る。したがって、インテーフェース６１０は、異なる種類の複数のリンク上で接続するための複数の装置を含み得る。本発明の説明を容易にするために、１つの一般的なインターフェース６１０だけが説明されている。ＬＭＡ６００は、ゲートウェイ又はルータとしてさらに動作してもよく、したがって、従来技術において周知のように、さらに多くのコンポーネントを備えてもよい。
【００３６】
動作において、ＬＭＡ６００は、１つ以上のＲＡＮを介して、また１つ以上のＭＡＧを介してＬＭＡ６００に接続される複数のＵＥにサービスを提供する。ＬＭＡ６００は、ＵＥにサービスを提供する１つ以上の外部ネットワークに接続される。ＬＭＡ６００は、ＡＰＮを有するアクセスポイントを介して外部ネットワークで接続する。ＬＭＡ６００は、３ＧＰＰに準拠したパケットデータネットワークゲートウェイであり得る。また、ＲＡＮは、ＬＴＥをサポートする３ＧＰＰに準拠したアクセスネットワークであり得る。そのため、ＬＭＡ６００は、ＥＰＣネットワークの一部であり得る。また、ＬＭＡ６００は、非３ＧＰＰネットワークの一部であってもよい。ＬＭＡ６００は、同一のＡＰＮを明示するマルチパケットデータ接続をＵＥに設定することに参加する。ＬＭＡ６００に到着するメッセージは、インターフェース６１０で受信され、プロセッサ６２０に与えられる。プロセッサ６２０は、ＵＥのＩＤ、ＭＡＧのアドレス、ＡＰＮ、及びアクセスポイントへのＵＥの接続を識別するＵＩＤ、を含ＰＢＵを、ＭＡＧから受信する。プロセッサ６２０は、ＵＥのＩＤ、ＭＡＧのアドレス、ＡＰＮ及びＵＩＤを、メモリ６３０のＢＣＥに記憶させる。そして、プロセッサ６２０は、第１の一意識別子を含むＰＢＡをＭＡＧへ送信するように、インターフェース６１０に要求する。そして、ＬＭＡ６００は、同一のＵＥについての１つ以上の追加のＰＢＵを受信し得る。各ＰＢＵは、同一のＡＰＮを識別するものの異なるＵＩＤを搬送する。受信された各ＵＩＤについて、プロセッサ６２０は、メモリ６３０の中に異なるＢＣＥを記憶させる。各ＢＣＥは、少なくとも異なるＢＣＥ間でＵＩＤが異なるので一意である。当然ながら、各ＢＣＥは、ＡＰＮ、ＵＥのＩＤ、及びＢＣＥを送信したＭＡＧのアドレスをさらに含む。いくつかの実施形態では、所与のＵＥ及び同一のＡＰＮについて記憶される異なるＢＣＥは、異なるＭＡＧアドレスを含み得る。ＬＭＡ６００は、取り消されることが必要なＵＥ接続についてのＢＲＩを、ＭＡＧから受信し得る。ＢＲＩは、１つ以上のＵＩＤを搬送する。プロセッサ６２０は、受信されたＵＩＤを有する１つ以上のＢＣＥを見つけるためにメモリ６３０を探索し、見つかったＢＣＥを削除する。そして、プロセッサ６２０は、バインディング取り消し確認応答メッセージをＭＡＧに送信するように、インターフェース６１０に要求する。ＬＭＡ６００は、所与のＵＥ及びＡＰＮについて、既知のＵＩＤを搬送するＰＢＵも受信し得る。当該ＰＢＵは、この既知のＵＩＤを有するＢＣＥの中に記憶されている前回のＭＡＧのアドレスに対応しないＭＡＧのアドレスを含む。これは、ＡＰＮについてのＵＥ接続が新たなＭＡＧへのハンドオフを経験したことを示す。プロセッサ６２０は、メモリ６３０を通して、上記既知のＵＩＤを含むＢＣＥを探索する。プロセッサ６２０は、発見したＢＣＥを、新たに受信されたＭＡＧのアドレスで更新する。そして、プロセッサ６２０は、新たに受信されたＭＡＧのアドレスをＰＢＡの宛先アドレスとして使用して、上記既知のＵＩＤを含むＰＢＡを送信するようにインターフェース６１０に要求する。
【００３７】
図６に関連して説明された特徴に加えて、ＬＭＡ６００は、図３及び図４の中で与えられたＬＭＡの様々な実施形態の特徴をさらに実行可能であってもよい。
【００３８】
本発明のＭＡＧ及びＬＡＭの方法の好適な実施形態の様々な形態を、添付の図面及び上述の詳細な説明において説明したが、本発明は、開示された実施形態に限定されず、以下の特許請求の範囲で説明され定義されるような本発明の教示を逸脱することなく、多くの再構成、改変及び置き換えが可能である、ということが理解されるであろう。
【図１】
0005985982.tif 000002
【図２】
0005985982.tif 000003
【図３】
0005985982.tif 000004
【図４ａ】
0005985982.tif 000005
【図４ｂ】
0005985982.tif 000006
【図５】
0005985982.tif 000007
【図６】
0005985982.tif 000008